(57)【要約】【課題】簡単な構成で多種類のスピーカを識別できるスピーカの提供を課題とする。【解決手段】振動板１１と、ボイスコイル１２と、磁気回路１３と、振動板１１、ボイスコイル１２及び磁気回路１３を保持するフレーム１５とを有するスピーカ１である。フレーム１５の外周面２５ａに、リブ又は溝状の識別手段３０が設けられている。本発明によれば、簡単な構成で多種類のスピーカを識別できる。また、スピーカ１の梱包用の箱における蓋を開けるだけで、識別手段３０を視認できるので、スピーカの種類等を判別するためにスピーカ１を箱から取り出す必要がない。【選択図】図１
2009194742.tif 000002
【特許請求の範囲】
【請求項１】
音響発生部と、前記音響発生部の外周を取り囲むフレームとを有するスピーカにおいて、
前記フレームの外周面に、リブ状又は溝状の識別手段が設けられているスピーカ。
【請求項２】
前記フレームの前記外周面にコネクタが設けられ、前記識別手段は前記外周面の周方向における前記コネクタの両側に設けられているスピーカ。
【請求項３】
取り付け用のフランジを有し、前記識別手段は前記フランジの表面に設けられている請求項１または２に記載のスピーカ。
【請求項４】
前記識別手段は、前記フレームの中心軸線に対して略平行に配置されている請求項１から３の何れか１項に記載のスピーカ。
【請求項５】
前記識別手段は、その数によって前記スピーカを識別する請求項１から４の何れか１項に記載のスピーカ。
【発明の詳細な説明】
【技術分野】
【０００１】
本発明は、スピーカに関する。
【背景技術】
【０００２】
車載用スピーカは、例えばフロントドアの内面や、リアドアの内面など複数の部位に搭載されるのが普通である。これらの部位に取り付けられる複数の車載用スピーカは、同一サイズ（例えば直径１６ｃｍ）及び同一形状であっても、グレード等の種類が異なる場合がある。
【０００３】
このように同一サイズ及び同一形状でグレード等の種類が異なる車載用スピーカを車両に取り付ける場合、各車載用スピーカ同士を識別する必要がある。従来は、車載用スピーカのフレームの前面（車両搭載時に車内側になる面）に設けられるクッションの色を変える識別構造、或いはフレームの前面に刻印を設ける識別構造が知られている。
【特許文献１】特開２００５−２０３９７４号公報
【特許文献２】特開２００７−９６４１４号公報
【発明の開示】
【発明が解決しようとする課題】
【０００４】
しかしながら、従来のクッションの色を変えるスピーカの識別構造では、クッションに使用できる色の種類が限られており、識別できるスピーカの種類も限られるという問題があった。また、フレームの前面に刻印を設けるスピーカの識別構造では、車載用スピーカを梱包用の箱から取り出して、フレームの前面の刻印を確認しなければならないので、手間がかかるという問題があった。前面の刻印では、スピーカが梱包用の箱に立てて入れられる時等は箱を上から見てもスピーカの横しか見えずスピーカの前面を確認できない。このような問題は、車載用スピーカに限らず、各種のスピーカにも同様に発生する。
【０００５】
本発明は、このような問題に鑑みなされたもので、簡単な構成で多種類のスピーカを識別できると共に、スピーカを梱包用の箱から取り出すことなく箱の蓋を開けるだけで識別できるスピーカの提供を課題とする。
【課題を解決するための手段】
【０００６】
本発明は、前記課題を解決するため、以下の手段を採用した。
すなわち、本発明は、
音響発生部と、前記音響発生部の外周を取り囲むフレームと、を有するスピーカにおいて、
前記フレームの外周面に、リブ状又は溝状の識別手段が設けられている構成である。
【０００７】
本発明によれば、フレームの外周面にリブ状又は溝状の識別手段を設けるだけなので、構成を簡略化できる。また、スピーカの外周面及び識別手段を梱包用の箱の蓋に向けて梱包することにより、蓋を開けるだけで識別手段を視認できる。
【０００８】
ここで、前記フレームの前記外周面にコネクタが設けられ、前記識別手段が前記外周面の周方向における前記コネクタの両側に設けられている構成にできる。この場合は、識別手段が間隔を開けて二カ所に設けられているので、スピーカを例えば車両等に取り付けた際に、コネクタに接続されたコードによって何れか一方の識別手段が隠された場合でも、他方の識別手段を視認でき、これによりスピーカの種類等を判断できる。
【０００９】
また、取り付け用のフランジを有し、前記識別手段は前記フランジの前面に設けられている構成にできる。
【００１０】
また、前記識別手段は、前記フレームの中心軸線に対して略平行に配置されている構成にできる。また、前記識別手段は、その数によって前記スピーカの種類を識別する構成にできる。
【発明の効果】
【００１１】
以上説明したように、本発明によれば、簡単な構成で多種類のスピーカを識別できる。また、例えば梱包用の箱における蓋を開けるだけで、スピーカの識別が可能になる。
【発明を実施するための最良の形態】
【００１２】
以下、本発明に係るスピーカの実施の形態を、添付した図面に基づいて詳細に説明する。なお、以下の実施形態は一実施例であり、本発明は実施形態に限定されない。
【００１３】
《第１実施形態》
図１は、本発明に係るスピーカを適用した第１実施形態の車載用スピーカ１を示す。この車載用スピーカ１は、振動板１１、ボイスコイル１２、磁気回路１３、及びこれらの振動板１１、ボイスコイル１２、磁気回路１３の外周を取り囲むフレーム１５を備えている。振動版１１，ボイスコイル１２，及び磁気回路１３は音響発生部を構成している。なお、図１中の符号１４はヨーク、２０はプレート、２１はキャップ、２２は前面クッション、２３は背面クッション、２４は信号入力用のコネクタである。
【００１４】
次に、上記各構成要素について説明する。なお、フレーム１５以外の各構成要素は、一般的なものを使用できるのでその詳細な説明を省略する。
【００１５】
フレーム１５は、車載用スピーカ１の中心軸線１ａに対して略平行な円筒状の外フレーム２５と、この外フレーム２５の内側に設けられ振動板１１からヨーク１４側にかけて小径となる略円錐台状の内フレーム２６とを有している。外フレーム２５の外周面２５ａには、リブ状の識別手段３０が設けられている。
【００１６】
外フレーム２５におけるヨーク１４側の端部には、車載用スピーカ１を車両の所定の部位（フロントドアやリアドア等の内面）に取り付けるためのフランジ３１が設けられている。このフランジ３１における外側の表面（図１中の左側の表面）と、外フレーム２５との間には、三角形状の補強部材３２が複数設けられている。
【００１７】
識別手段３０は、図２に示すように、外フレーム２５の外周面２５ａに突出して設けられている。この識別手段３０は細長いリブ状に形成された１又は複数のパターンを有し、このパターンは車載用スピーカ１の中心軸線１ａに対して略平行に配置されている。
【００１８】
また、識別手段３０は、外フレーム２５の外周面２５ａにおける複数箇所に設けられている。本実施形態では、一カ所につきグレード等の種類に応じて予め設定された数、ここでは２個ずつ設けられている。一カ所に設けられた複数の識別手段３０は、互いに接近して配置されている。例えば、一カ所における識別手段３０の数が一個の場合はグレード１、二個の場合はグレード２、三個の場合はグレード３というように、識別手段３０の数によってグレード等の種類を識別できるように設定されている。
【００１９】
また、本実施形態では、外フレーム２５の外周面２５ａに上記コネクタ２４が設けられ、外フレーム２５の周方向におけるコネクタ２４の両側にそれぞれ識別手段３０が設けられている。
【００２０】
このように、本実施形態の車載用スピーカ１は、フレーム１５における外フレーム２５の外周面２５ａに、例えばグレード等の種類に応じて予め設定された数の識別手段３０が設けられている。従って、例えば形状及び大きさが同一でグレードが異なる複数の車載用スピーカ１を車両に取り付ける際に、車載用スピーカ１に設けられた識別手段３０のリブ状のパターンの数を確認することにより、当該車載用スピーカ１の種類を判別できるので、車両における所定の位置に所定のグレードを有する車載用スピーカ１を確実に取り付けることができる。
【００２１】
また、識別手段３０は、外フレーム２５の外周面２５ａに設けられているので、例えば車載用スピーカ１を梱包用の箱に収容する際に、外周面２５ａ及び識別手段３０が箱の蓋に対向する姿勢で収容することにより、蓋を開けるだけで識別手段３０を視認でき、即座に車載用スピーカ１のグレード等の種類を判別できる。従って、車載用スピーカ１を箱から取り出して識別手段３０を確認する必要が無くなるので、手間を省くことができる。
【００２２】
また、識別手段３０はコネクタ２４の両側に設けられているので、車載用スピーカ１を車両に取り付けたときに、コネクタ２４に接続された電線で一方の識別手段３０が隠された場合でも、他方の識別手段３０を視認できる。
【００２３】
更に、識別手段３０はリブ状又は溝状なので、識別手段を例えば文字等の刻印にする場合に比べて、成形用の型の複雑化や余計な加工が不要になる。つまり、金型等での成形の際に容易な識別手段である。また、識別手段としてシール等を使用することも考えられるが、この場合には部品点数が増加するという問題が発生する。これに対して、本実施形態の識別手段３０は、加工が容易で且つ部品点数の増加を抑制できる。
【００２４】
なお、上記実施形態では、識別手段３０をコネクタ２４の両側にそれぞれ一カ所、合計２カ所に設けたが、識別手段３０は外フレーム２５における外周面２５ａの任意の位置に一カ所、又は３カ所以上設けることができる。また、識別手段３０の数は、スピーカの種類等に応じて一個又は３個以上設けることができる。
【００２５】
また、上記実施形態では識別手段３０をリブ状に形成したが、図３（ａ），（ｂ）に示すように、外フレーム２５の外周面２５ａに、細長い溝状の識別手段３３を設けることができる。この識別手段３３は、車載用スピーカ１の中心軸線１ａに対して平行に配置するのが好ましい。
【００２６】
更に、図４に示すように、フランジ３１の外側の表面（ヨーク１４の反対側の表面）３１ａに、識別手段３０を設けることができる。この場合、識別手段３０は、フランジ３１のみ、又はフランジ３１と外フレーム２５の両方に設けることができる。
【００２７】
《第２実施形態》
第１実施形態では、車載用スピーカ１における略円筒状の外フレーム２５の外周面２５ａに識別手段３０を設けたが、図５に示すように、一般的なスピーカ４０の略円錐台状のフレーム４５に識別手段３０を設けることができる。この場合は、スピーカ４０の中心軸線４０ａに対して傾斜している外周面４５ａに、識別手段３０を設ける。なお、図５中の符号４１は振動板、４２はボイスコイル、４３は磁気回路である。
【図面の簡単な説明】
【００２８】
【図１】本発明に係る第１実施形態の車載用スピーカを示す断面図である。
【図２】本発明に係る第１実施形態の車載用スピーカにおけるフレームを示す外観図であり、図１のＡ矢視図である。
【図３】図３（ａ）は本発明に係る第１実施形態の凹状の識別用手段を示す断面図、図３（ｂ）は上面図であり図３（ａ）のＢ矢視図である。
【図４】本発明に係る第１実施形態のフランジに識別用手段を設けた状態を示す正面図であり、図１のＣ矢視図である。
【図５】本発明に係る第２実施形態のスピーカを示す断面図である。
【符号の説明】
【００２９】
１  車載用スピーカ
１ａ  中心軸線
１１  振動板
１２  ボイスコイル
１３  磁気回路
１４  ヨーク
１５  フレーム
２４  コネクタ
２５  外フレーム
２５ａ  外フレームの外周面
２６  内フレーム
３０，３３  識別手段
３１  フランジ
３２  補強部材
４０  スピーカ
４５  フレーム
４５ａ  フレームの外周面
【図１】
2009194742.tif 000003
【図２】
2009194742.tif 000004
【図３】
2009194742.tif 000005
【図４】
2009194742.tif 000006
【図５】
2009194742.tif 000007